(57)【要約】【課題】端末の通信品質状況に適した誤り訂正符号化を行うことができる接続方法、アクセスポイント及びシステムを提供する。【解決手段】端末２ｉは、アクセスポイント３に対する最初の接続時に共通ＳＳＩＤを用いてアクセスポイント３に接続要求し、アクセスポイント３への接続確立後、現在の通信品質を測定して、その結果をアクセスポイント３に通知し、アクセスポイント３は、端末２ｉより通知された通信品質に基づいて、ＦＥＣパラメータテーブル３２から端末２ｉの通信品質状況に合った最適なＦＥＣパラメータを選択し、選択したＦＥＣパラメータを端末２ｉに通知し、端末２ｉは、アクセスポイント３より通知されたＦＥＣパラメータを持つＳＳＩＤを用いてアクセスポイント３に対して再接続要求する。【選択図】図１
2017041729.tif 000002
【特許請求の範囲】
【請求項１】
アクセスポイントが端末と接続する接続方法であって、
前記端末が第１のＳＳＩＤを介して前記アクセスポイントへ第１の接続を確立し、
前記第１の接続における通信品質に基づいて、前記端末が前記アクセスポイントに対して通信品質情報を送信し、
前記通信品質情報に基づいて前記アクセスポイントが第２のＳＳＩＤを選択して前記端末に送信し、
前記端末が前記第１の接続を解除し、前記第２のＳＳＩＤを介して前記アクセスポイントへ第２の接続を確立し、
前記第２のＳＳＩＤは、少なくとも、
所定のパラメータによって誤り訂正符号化されたデータが前記アクセスポイントから送信されるＳＳＩＤと、
前記所定のパラメータよりも誤り訂正能力の高い誤り訂正符号化がされたデータが前記アクセスポイントから送信されるＳＳＩＤと、を含むＳＳＩＤの群から少なくとも一が選択され、
前記第１の接続における前記通信品質情報によって表される通信品質が所定の品質を満たす場合は、前記所定のパラメータによって誤り訂正符号化されたデータが前記アクセスポイントから送信されるＳＳＩＤが前記第２のＳＳＩＤとして選択され、
前記第１の接続における前記通信品質情報によって表される通信品質が前記所定の品質を満たさない場合は、前記所定のパラメータよりも誤り訂正能力の高い誤り訂正符号化がされたデータが前記アクセスポイントから送信されるＳＳＩＤが前記第２のＳＳＩＤとして選択される、
接続方法。
【請求項２】
請求項１に記載の接続方法であって、
前記端末が第１のＳＳＩＤを介して前記アクセスポイントへ第１の接続を確立する際、
前記端末が前記アクセスポイントに対して接続要求を送信するにあたり、前記第１のＳＳＩＤは、すべての端末に共通に用いられる共通ＳＳＩＤである、
接続方法。
【請求項３】
請求項１又は請求項２に記載の接続方法であって、
前記第１の接続における通信品質に基づいて、前記端末が前記アクセスポイントに対して通信品質情報を送信する際、
前記端末は、前記通信品質に基づいて自発的に前記アクセスポイントに対して前記通信品質情報を送信する、
接続方法。
【請求項４】
端末が接続されるアクセスポイントであって、
前記端末により第１のＳＳＩＤを介して第１の接続が確立され、
前記第１の接続における通信品質に基づいて、前記端末から通信品質情報を受信し、
前記通信品質情報に基づいて第２のＳＳＩＤを選択して前記端末に送信し、
前記端末により前記第１の接続が解除され、前記第２のＳＳＩＤを介して第２の接続が確立され、
前記第２のＳＳＩＤは、少なくとも、
所定のパラメータによって誤り訂正符号化されたデータが前記アクセスポイントから送信されるＳＳＩＤと、
前記所定のパラメータよりも誤り訂正能力の高い誤り訂正符号化がされたデータが前記アクセスポイントから送信されるＳＳＩＤと、を含むＳＳＩＤの群から少なくとも一が選択され、
前記第１の接続における前記通信品質情報によって表される通信品質が所定の品質を満たす場合は、前記所定のパラメータによって誤り訂正符号化されたデータが前記アクセスポイントから送信されるＳＳＩＤが前記第２のＳＳＩＤとして選択され、
前記第１の接続における前記通信品質情報によって表される通信品質が前記所定の品質を満たさない場合は、前記所定のパラメータよりも誤り訂正能力の高い誤り訂正符号化がされたデータが前記アクセスポイントから送信されるＳＳＩＤが前記第２のＳＳＩＤとして選択される、
アクセスポイント。
【請求項５】
請求項４に記載のアクセスポイントであって、
前記端末により第１のＳＳＩＤを介して第１の接続が確立される際、
前記端末が前記アクセスポイントに対して接続要求を送信するにあたり、前記第１のＳＳＩＤは、すべての端末に共通に用いられる共通ＳＳＩＤである、
アクセスポイント。
【請求項６】
請求項４又は請求項５に記載のアクセスポイントであって、
前記第１の接続における通信品質に基づいて、前記端末から通信品質情報を受信する際、
前記端末は、前記通信品質に基づいて自発的に前記アクセスポイントに対して前記通信品質情報を送信する、
アクセスポイント。
【請求項７】
アクセスポイントと、前記アクセスポイントに接続される端末とを含むシステムであって、
前記端末が第１のＳＳＩＤを介して前記アクセスポイントへ第１の接続を確立し、
前記第１の接続における通信品質に基づいて、前記端末が前記アクセスポイントに対して通信品質情報を送信し、
前記通信品質情報に基づいて前記アクセスポイントが第２のＳＳＩＤを選択して前記端末に送信し、
前記端末が前記第１の接続を解除し、前記第２のＳＳＩＤを介して前記アクセスポイントへ第２の接続を確立し、
前記第２のＳＳＩＤは、少なくとも、
所定のパラメータによって誤り訂正符号化されたデータが前記アクセスポイントから送信されるＳＳＩＤと、
前記所定のパラメータよりも誤り訂正能力の高い誤り訂正符号化がされたデータが前記アクセスポイントから送信されるＳＳＩＤと、を含むＳＳＩＤの群から少なくとも一が選択され、
前記第１の接続における前記通信品質情報によって表される通信品質が所定の品質を満たす場合は、前記所定のパラメータによって誤り訂正符号化されたデータが前記アクセスポイントから送信されるＳＳＩＤが前記第２のＳＳＩＤとして選択され、
前記第１の接続における前記通信品質情報によって表される通信品質が前記所定の品質を満たさない場合は、前記所定のパラメータよりも誤り訂正能力の高い誤り訂正符号化がされたデータが前記アクセスポイントから送信されるＳＳＩＤが前記第２のＳＳＩＤとして選択される、
システム。
【請求項８】
請求項７に記載のシステムであって、
前記端末が第１のＳＳＩＤを介して前記アクセスポイントへ第１の接続を確立する際、
前記端末が前記アクセスポイントに対して接続要求を送信するにあたり、前記第１のＳＳＩＤは、すべての端末に共通に用いられる共通ＳＳＩＤである、
システム。
【請求項９】
請求項７又は請求項８に記載のシステムであって、
前記第１の接続における通信品質に基づいて、前記端末が前記アクセスポイントに対して通信品質情報を送信する際、
前記端末は、前記通信品質に基づいて自発的に前記アクセスポイントに対して前記通信品質情報を送信する、
システム。
【発明の詳細な説明】
【技術分野】
【０００１】
本開示は、接続方法、アクセスポイント及びシステムに関する。
【背景技術】
【０００２】
特許文献１に記載された無線通信システムにおいて、無線アクセスポイントは、自身に帰属している無線端末の通信品質の情報を取得し、当該無線端末との通信に使用され、通信中の無線端末に個別に付与されるＢＳＳＩＤと、取得した通信品質の情報とを周期的にルータに通知する。ルータは、受信した通信品質によりハンドオーバが必要と判断した場合、複数の無線アクセスポイントに、受信したＢＳＳＩＤを通知して通信品質測定を要求する。そして、最もよい通信品質を返送した無線アクセスポイントを接続切り替え先としてＢＳＳＩＤを通知した無線アクセスポイントに通知する。接続切り替え先の無線アクセスポイントは、受信したＢＳＳＩＤを使用して通信を行っている無線端末の帰属処理を行い、接続切り替え先以外の無線アクセスポイントは、受信したＢＳＳＩＤを削除する。
【先行技術文献】
【特許文献】
【０００３】
【特許文献１】特開２０１０−１７８１７５号公報
【発明の概要】
【発明が解決しようとする課題】
【０００４】
ところで、アクセスポイントの通信エリアの端部付近に存在する端末に合わせて一律に強力な誤り訂正を適用する場合、端末の処理能力や処理遅延時間が課題になる。特に、アクセスポイントに近くて通信品質が良い場所に存在する端末にとっては処理遅延時間が長くなり、端末のユーザがストレスを感じてしまうことになる。つまり、アクセスポイントに近くて通信品質の良い場所では強力な誤り訂正を行う必要はなく簡単な誤り訂正で良いが、通信品質の悪い場所と同様の強力な誤り訂正を行うと誤り訂正に時間がかかることになり、これによりユーザがストレスを感じることになる。
【０００５】
本開示は、係る事情に鑑みてなされたものであり、端末の通信品質状況に適した誤り訂正符号化を行うことができる接続方法、アクセスポイント及びシステムを提供することを目的とする。
【課題を解決するための手段】
【０００６】
本開示の接続方法は、アクセスポイントが端末と接続する接続方法であって、前記端末が第１のＳＳＩＤを介して前記アクセスポイントへ第１の接続を確立し、前記第１の接続における通信品質に基づいて、前記端末が前記アクセスポイントに対して通信品質情報を送信し、前記通信品質情報に基づいて前記アクセスポイントが第２のＳＳＩＤを選択して前記端末に送信し、前記端末が前記第１の接続を解除し、前記第２のＳＳＩＤを介して前記アクセスポイントへ第２の接続を確立し、前記第２のＳＳＩＤは、少なくとも、所定のパラメータによって誤り訂正符号化されたデータが前記アクセスポイントから送信されるＳＳＩＤと、前記所定のパラメータよりも誤り訂正能力の高い誤り訂正符号化がされたデータが前記アクセスポイントから送信されるＳＳＩＤと、を含むＳＳＩＤの群から少なくとも一が選択され、前記第１の接続における前記通信品質情報によって表される通信品質が所定の品質を満たす場合は、前記所定のパラメータによって誤り訂正符号化されたデータが前記アクセスポイントから送信されるＳＳＩＤが前記第２のＳＳＩＤとして選択され、前記第１の接続における前記通信品質情報によって表される通信品質が前記所定の品質を満たさない場合は、前記所定のパラメータよりも誤り訂正能力の高い誤り訂正符号化がされたデータが前記アクセスポイントから送信されるＳＳＩＤが前記第２のＳＳＩＤとして選択される。
【０００７】
本開示のアクセスポイントは、端末が接続されるアクセスポイントであって、前記端末により第１のＳＳＩＤを介して第１の接続が確立され、前記第１の接続における通信品質に基づいて、前記端末から通信品質情報を受信し、前記通信品質情報に基づいて第２のＳＳＩＤを選択して前記端末に送信し、前記端末により前記第１の接続が解除され、前記第２のＳＳＩＤを介して第２の接続が確立され、前記第２のＳＳＩＤは、少なくとも、所定のパラメータによって誤り訂正符号化されたデータが前記アクセスポイントから送信されるＳＳＩＤと、前記所定のパラメータよりも誤り訂正能力の高い誤り訂正符号化がされたデータが前記アクセスポイントから送信されるＳＳＩＤと、を含むＳＳＩＤの群から少なくとも一が選択され、前記第１の接続における前記通信品質情報によって表される通信品質が所定の品質を満たす場合は、前記所定のパラメータによって誤り訂正符号化されたデータが前記アクセスポイントから送信されるＳＳＩＤが前記第２のＳＳＩＤとして選択され、前記第１の接続における前記通信品質情報によって表される通信品質が前記所定の品質を満たさない場合は、前記所定のパラメータよりも誤り訂正能力の高い誤り訂正符号化がされたデータが前記アクセスポイントから送信されるＳＳＩＤが前記第２のＳＳＩＤとして選択される。
【０００８】
本開示のシステムは、アクセスポイントと、前記アクセスポイントに接続される端末とを含むシステムであって、前記端末が第１のＳＳＩＤを介して前記アクセスポイントへ第１の接続を確立し、前記第１の接続における通信品質に基づいて、前記端末が前記アクセスポイントに対して通信品質情報を送信し、前記通信品質情報に基づいて前記アクセスポイントが第２のＳＳＩＤを選択して前記端末に送信し、前記端末が前記第１の接続を解除し、前記第２のＳＳＩＤを介して前記アクセスポイントへ第２の接続を確立し、前記第２のＳＳＩＤは、少なくとも、所定のパラメータによって誤り訂正符号化されたデータが前記アクセスポイントから送信されるＳＳＩＤと、前記所定のパラメータよりも誤り訂正能力の高い誤り訂正符号化がされたデータが前記アクセスポイントから送信されるＳＳＩＤと、を含むＳＳＩＤの群から少なくとも一が選択され、前記第１の接続における前記通信品質情報によって表される通信品質が所定の品質を満たす場合は、前記所定のパラメータによって誤り訂正符号化されたデータが前記アクセスポイントから送信されるＳＳＩＤが前記第２のＳＳＩＤとして選択され、前記第１の接続における前記通信品質情報によって表される通信品質が前記所定の品質を満たさない場合は、前記所定のパラメータよりも誤り訂正能力の高い誤り訂正符号化がされたデータが前記アクセスポイントから送信されるＳＳＩＤが前記第２のＳＳＩＤとして選択される。
【発明の効果】
【０００９】
本開示によれば、端末の通信品質状況に適した誤り訂正符号化が可能となり、通信品質状況の良好な場所では誤り訂正符号化が簡略化されることから、ユーザが受けるストレスを軽減できる。
【図面の簡単な説明】
【００１０】
【図１】本開示の一実施の形態に係る接続方法を実行するデータ送信システムの概略構成を示すブロック図
【図２】本実施の形態に係る接続方法を実行するデータ送信システムの無線ＬＡＮアクセスポイントが有する端末管理テーブル及びＦＥＣパラメータテーブルの一例を示す図
【図３】本実施の形態に係る接続方法を実行するデータ送信システムにおける動作の概要を模式的に示した図
【図４】本実施の形態に係る接続方法を実行するデータ送信システムの動作を説明するためのシーケンス図
【発明を実施するための形態】
【００１１】
以下、本開示を実施するための好適な実施の形態について、図面を参照して詳細に説明する。
【００１２】
図１は、本開示の一実施の形態に係る接続方法を実行するデータ送信システムの概略構成を示すブロック図である。同図において、本実施の形態に係る接続方法を実行するデータ送信システム１は、複数の無線ＬＡＮ受信端末２ｉ（ｉ＝１，２，３，…ｎ）と、複数の無線ＬＡＮ受信端末２ｉが接続される無線ＬＡＮアクセスポイント３と、無線ＬＡＮアクセスポイント３に接続要求のあった無線ＬＡＮ受信端末２ｉに付与するためのＩＰ（Internet Protocol）アドレスを発行する認証ＤＨＣＰ（Dynamic Host Configuration Protocol）サーバ４と、観光案内等のコンテンツを配信するコンテンツ配信サーバ５と、を備える。
【００１３】
ここで、複数の無線ＬＡＮ受信端末２ｉと無線ＬＡＮアクセスポイント３との間は、例えばＩＥＥＥ８０２．１１の規格に準拠する無線ＬＡＮで通信が行われる。また、無線ＬＡＮアクセスポイント３と認証ＤＨＣＰサーバ４との間及び無線ＬＡＮアクセスポイント３とコンテンツ配信サーバ５との間は、インターネット等のＩＰネットワーク（不図示）を介して通信が行われる。
【００１４】
無線ＬＡＮ受信端末（以下、“端末”と呼ぶ）２ｉは、スマートフォン、ＰＤＡ、ノートパソコン等の端末で、無線ＬＡＮ機能を有するものである。無線ＬＡＮアクセスポイント（以下、“アクセスポイント”と呼ぶ）３は、ＣＰＵ３０と、端末管理テーブル３１と、ＦＥＣパラメータテーブル３２と、ＲＦ部３３と、を有する。ＣＰＵ３０には、ＣＰＵ３０を制御するためのプログラムが書き込まれた不図示のＲＯＭ（Read Only Memory）と、ＣＰＵ３０の動作においてワークメモリとして使用される不図示のＲＡＭ（Random Access Memory）等が接続されている。端末管理テーブル３１及びＦＥＣパラメータテーブル３２は、ＣＰＵ３０に接続されたＲＡＭ上に設定される。なお、アクセスポイント３の動作は、主にＣＰＵ３０の動作であるが、本実施の形態ではアクセスポイント３そのものの動作であるとして、主語をアクセスポイント３とする。
【００１５】
アクセスポイント３は、端末２ｉからの接続要求を受信すると、ＩＰネットワークを介して認証ＤＨＣＰサーバ４にアクセスしてＩＰアドレスの割当を要求する。アクセスポイント３は、認証ＤＨＣＰサーバ４よりＩＰアドレスが発行されると、発行されたＩＰアドレスを取得し、取得したＩＰアドレスを端末管理テーブル３１に登録する。このとき、アクセスポイント３は、接続要求してきた端末２ｉのＭＡＣアドレス（Media Access Control address）、接続時刻、ＦＥＣ分類ＩＤ及び割当ＳＳＩＤも端末管理テーブル３１に登録する。このように、アクセスポイント３は、接続要求してきた端末２ｉがあると、その端末２ｉのＭＡＣアドレス、ＩＰアドレス、ＦＥＣ分類ＩＤ、割当ＳＳＩＤ、接続時刻を管理端末ＩＤに対応させて端末管理テーブル３１に登録する。なお、ＦＥＣ分類ＩＤ及び割当ＳＳＩＤの詳細は後述する。
【００１６】
アクセスポイント３は、ＡＬ−ＦＥＣ符号化に用いるＦＥＣパラメータをＦＥＣパラメータテーブル３２で管理する。
【００１７】
図２は、本実施の形態に係る接続方法を実行するデータ送信システム１のアクセスポイント３が有する端末管理テーブル３１とＦＥＣパラメータテーブル３２の一例を示す図である。同図に示す例では、端末管理テーブル３１に、４台の端末２１〜２４のＭＡＣアドレス、ＩＰアドレス、ＦＥＣ分類ＩＤ、割当ＳＳＩＤ及び接続時刻が登録されているが、新たに接続要求してきた端末２ｉがあると、その端末２ｉのＭＡＣアドレス、ＩＰアドレス、ＦＥＣ分類ＩＤ、割当ＳＳＩＤ及び接続時刻が追加登録される。
【００１８】
ＦＥＣパラメータテーブル３２には、９つのＦＥＣパラメータがＦＥＣ分類ＩＤに対応付けられて登録されている。ＦＥＣパラメータは、本実施の形態ではシンボル長と冗長度としている。図２に示す例では、シンボル長：１８０シンボル及び冗長度：２５％がＦＥＣ分類ＩＤ〔０〕、シンボル長：１８０シンボル及び冗長度：５０％がＦＥＣ分類ＩＤ〔１〕、シンボル長：１８０シンボル及び冗長度：１００％がＦＥＣ分類ＩＤ〔２〕、シンボル長：３６０シンボル及び冗長度：２５％がＦＥＣ分類ＩＤ〔３〕、シンボル長：３６０シンボル及び冗長度：５０％がＦＥＣ分類ＩＤ〔４〕、シンボル長：３６０シンボル及び冗長度：１００％がＦＥＣ分類ＩＤ〔５〕、シンボル長：７２０シンボル及び冗長度：２５％がＦＥＣ分類ＩＤ〔６〕、シンボル長：７２０シンボル及び冗長度：５０％がＦＥＣ分類ＩＤ〔７〕、シンボル長：７２０シンボル及び冗長度：１００％がＦＥＣ分類ＩＤ〔８〕として登録されている。
【００１９】
ＦＥＣパラメータテーブル３２と端末管理テーブル３１は、ＦＥＣ分類ＩＤで紐付けられている。
【００２０】
ＡＬ−ＦＥＣ符号化による誤り訂正能力は、ＦＥＣパラメータのシンボル長及び冗長度の各値が大きくなるのに従って強力になる。図２に示す例では、ＦＥＣ分類ＩＤ〔０〕のシンボル長：１８０シンボル及び冗長度：２５％が最も弱く、ＦＥＣ分類ＩＤ〔８〕のシンボル長：７２０シンボル及び冗長度：１００％が最も強くなる。
【００２１】
アクセスポイント３は、接続要求してきた端末２ｉのＭＡＣアドレス、ＩＰアドレス、接続時刻と、デフォルト値のＦＥＣ分類ＩＤ及び割当ＳＳＩＤを管理端末ＩＤに対応させて端末管理テーブル３１に登録した後、接続要求してきた端末２ｉにＩＰアドレスを送信する。ここで、端末２ｉは、アクセスポイント３に最初に接続要求する場合、データ送信システム１における全ての端末２ｉに共通するＳＳＩＤ（第１のＳＳＩＤ）（以下、“共通ＳＳＩＤ”と呼ぶ）を使用する。共通ＳＳＩＤが持つＦＥＣパラメータには、例えばＦＥＣパラメータテーブル３２における中間値（ＦＥＣ分類ＩＤ〔３〕又は〔４〕）が用いられる。各端末２ｉの最初の接続要求時に共通ＳＳＩＤを用いることで、最初の接続時におけるアクセスポイント３の処理遅延時間を均一にできる。即ち、各端末２ｉの最初の接続時におけるアクセスポイント３の処理のバラツキを低くできる。
【００２２】
アクセスポイント３は、端末２ｉにＩＰアドレスを通知した後、端末２ｉに通信品質通知要求を送信する。アクセスポイント３は、端末２ｉに向けて通信品質通知要求を送信した後、端末２ｉより送信されてくる通信品質を受信する。端末２ｉは、アクセスポイント３からの通信品質通知要求により、受信レベル、ＢＥＲ（Bit Error Rate）、Ｃ／Ｎ比（Carrier to Noise Ratio）等の通信品質を測定し、測定結果を通信品質情報としてアクセスポイント３に送信する。
【００２３】
アクセスポイント３は、端末２ｉより送信された通信品質情報を受信すると、ＦＥＣ分類ＩＤ〔０〕〜ＦＥＣ分類ＩＤ〔８〕のＦＥＣパラメータの中から、端末２ｉの通信品質状況に適したものを選択する。この場合、端末２ｉが測定した通信品質が良ければ良いほど、ＦＥＣ分類ＩＤの〔０〕に近づく方向でＦＥＣパラメータが選択され、端末２ｉが測定した通信品質が悪ければ悪いほど、ＦＥＣ分類ＩＤの〔８〕に近づく方向でＦＥＣパラメータが選択される。アクセスポイント３は、ＦＥＣパラメータを選択した後、端末管理テーブル３１のＦＥＣ分類ＩＤと割当ＳＳＩＤを更新する。また、アクセスポイント３は、更新した割当ＳＳＩＤ（端末管理テーブル３１に登録した割当ＳＳＩＤ）をデータ配信用ＳＳＩＤ通知として端末２ｉに送信する。
【００２４】
端末２ｉは、データ配信用ＳＳＩＤ通知を受信することで、割当ＳＳＩＤが持つＦＥＣパラメータを設定する。なお、端末２ｉは割当ＳＳＩＤが持つＦＥＣパラメータをアクセスポイント３から、データ配信用ＳＳＩＤ通知と併せて受信することで割当ＳＳＩＤが持つＦＥＣパラメータを設定してもよいし、端末２ｉは予め割当ＳＳＩＤが持つＦＥＣパラメータを端末２ｉ自身のメモリ内部に記録していることで、割当ＳＳＩＤが持つＦＥＣパラメータを設定してもよい。端末２ｉは、設定したＦＥＣパラメータを持つＳＳＩＤ（第２のＳＳＩＤ）を用いて、アクセスポイント３に再接続要求を送信する。アクセスポイント３と端末２ｉとの間で再接続が確立すると、アクセスポイント３は、コンテンツ配信サーバ５から送信されたコンテンツデータを、ＦＥＣパラメータによってＡＬ−ＦＥＣ符号化し、ＡＬ−ＦＥＣ符号化したコンテンツデータを端末２ｉに送信する。端末２ｉは、アクセスポイント３から送信されたＡＬ−ＦＥＣ符号化されたコンテンツデータを受信すると、アクセスポイント３で使用されたＦＥＣパラメータと同一のＦＥＣパラメータでＡＬ−ＦＥＣ復号化する。
【００２５】
図３は、本実施の形態に係る接続方法を実行するデータ送信システム１における動作の概要を模式的に示した図である。同図は、３台の端末２１〜２３とアクセスポイント３との接続状況を示している。端末２１は、アクセスポイント３に近く、比較的高いＣ／Ｎ環境に存在しているので、アクセスポイント３より、例えばＦＥＣ分類ＩＤ〔１〕（パターン〔１〕）のＦＥＣパラメータを持つＳＳＩＤ〔１〕の通知があると、通知されたＳＳＩＤ〔１〕を用いて再接続する。端末２２は、端末２１よりもアクセスポイント３から遠く、比較的低いＣ／Ｎ環境に存在しているので、アクセスポイント３より、例えばＦＥＣ分類ＩＤ〔６〕（パターン〔６〕）のＦＥＣパラメータを持つＳＳＩＤ〔６〕の通知があると、通知されたＳＳＩＤ〔６〕を用いて再接続する。
【００２６】
端末２３は、アクセスポイント３からの距離が端末２１よりは遠く、端末２２よりは近い場所に存在していて、アクセスポイント３に接続要求を通知しようとしている。端末２３は、最初の接続要求では、共通ＳＳＩＤを用いてアクセスポイント３に接続要求を送信する。アクセスポイント３は、端末２３からの最初の接続要求に対して、端末２３にＩＰアドレスを通知した後、通信品質通知要求を送信する。アクセスポイント３は、端末２３から送信された通信品質通知を受信すると、ＦＥＣパラメータテーブル３２を参照し、ＦＥＣ分類ＩＤ〔０〕〜ＦＥＣ分類ＩＤ〔８〕のＦＥＣパラメータの中から、端末２３の通信品質状況に合わせて最適なものを選択する。アクセスポイント３は、端末２３の通信品質状況に合わせて最適なＦＥＣパラメータを選択した後、端末管理テーブル３１のＦＥＣ分類ＩＤと割当ＳＳＩＤを更新する。次いで、アクセスポイント３は、取得したＦＥＣパラメータを持つ割当ＳＳＩＤを含むデータ配信用ＳＳＩＤを端末２３に送信する。端末２３は、データ配信用ＳＳＩＤ通知を受信することで、割当ＳＳＩＤが持つＦＥＣパラメータを設定する。次いで、端末２３は、設定したＦＥＣパラメータを持つＳＳＩＤを用いて、アクセスポイント３に再接続要求を送信する。
【００２７】
図１に戻り、認証ＤＨＣＰサーバ４は、ＩＰアドレスなど必要な情報を自動的に発行するサーバである。認証ＤＨＣＰサーバ４は、端末２ｉがアクセスポイント３に接続要求を送信することで、アクセスポイント３より送信されるＩＰアドレス割当要求に応じてＩＰアドレスを発行し、アクセスポイント３に通知する。コンテンツ配信サーバ５は、観光案内等のコンテンツを配信する。
【００２８】
図４は、本実施の形態に係る接続方法を実行するデータ送信システム１の動作を説明するためのシーケンス図である。同図において、端末２ｉ（ここでは、ｉを「３」とする）において、ユーザがコンテンツを取得するためのアプリを起動する操作を行うと、端末２３のアプリが起動する（ステップＳ１１）。起動したアプリは、アクセスポイント３に接続要求を送信する（ステップＳ１２）。アクセスポイント３は、端末２３より送信された接続要求を受信すると、認証ＤＨＣＰサーバ４に対してＩＰアドレス割当要求を送信する（ステップＳ１３）。認証ＤＨＣＰサーバ４は、アクセスポイント３より送信されたＩＰアドレス割当要求を受信すると、ＩＰアドレスを発行し（ステップＳ１４）、発行したＩＰアドレスをアクセスポイント３に通知する（ステップＳ１５）。
【００２９】
アクセスポイント３は、認証ＤＨＣＰサーバ４より通知されたＩＰアドレスを受信すると、端末管理テーブル３１に、端末２３の管理端末ＩＤ〔３〕、ＩＰアドレス、ＭＡＣアドレス及び接続時刻を登録する（ステップＳ１６）。次いで、アクセスポイント３は、端末２３にＩＰアドレスを通知する（ステップＳ１７）。アクセスポイント３は、端末２３にＩＰアドレスを通知した後、通信品質通知要求を端末２３に送信する（ステップＳ１８）。端末２３は、アクセスポイント３より送信された通信品質通知要求を受信すると、受信レベル、ＢＥＲ、Ｃ／Ｎ比等の通信品質を測定する（ここでは、「Ｃ／Ｎ比」を測定したとする）（ステップＳ１９）。端末２３は、Ｃ／Ｎ比の測定後、アクセスポイント３に通信品質通知を送信する（ステップＳ２０）。
【００３０】
アクセスポイント３は、端末２３より送信された通信品質通知を受信すると、ＦＥＣパラメータテーブル３２を参照し、端末２３の通信品質状況に適したＦＥＣパラメータを選択する（ステップＳ２１）。ここで、ＦＥＣ分類ＩＤ〔１〕（パターン〔１〕で、シンボル長：１８０シンボル、冗長度：５０％）のＦＥＣパラメータが選択されたとする。アクセスポイント３は、ＦＥＣ分類ＩＤ〔１〕のＦＥＣパラメータを選択した後、端末管理テーブル３１のＦＥＣ分類ＩＤと割当ＳＳＩＤを登録する（ステップＳ２２）。これにより、図２に示す端末管理テーブル３１において、管理端末ＩＤ〔３〕のＦＥＣ分類ＩＤがパターン〔１〕、割当ＳＳＩＤがＳＳＩＤ〔１〕となる。アクセスポイント３は、端末管理テーブル３１のＦＥＣ分類ＩＤと割当ＳＳＩＤを登録した後、端末２３にデータ配信用ＳＳＩＤ通知を送信する（ステップＳ２３）。データ配信用ＳＳＩＤ通知には、ＳＳＩＤ及びＦＥＣパラメータが含まれる。
【００３１】
端末２３は、アクセスポイント３から送信されたデータ配信用ＳＳＩＤ通知を受信すると、データ配信用ＳＳＩＤ通知に含まれるＦＥＣパラメータを取得して、ＦＥＣパラメータを設定する（ステップＳ２４）。端末２３は、ＦＥＣパラメータの設定後、アクセスポイント３に再接続要求を送信する（ステップＳ２５）。アクセスポイント３と端末２３との間で再接続が確立すると、アクセスポイント３は、コンテンツ配信サーバ５から送信されたコンテンツデータを、ＦＥＣパラメータによってＡＬ−ＦＥＣ符号化し、ＡＬ−ＦＥＣ符号化したコンテンツデータを端末２３に送信する。端末２３は、アクセスポイント３から送信されたＡＬ−ＦＥＣ符号化されたコンテンツデータを受信すると、アクセスポイント３で使用されたＦＥＣパラメータと同一のＦＥＣパラメータでＡＬ−ＦＥＣ復号化する。端末２３が再接続要求を送信した後は、上述したステップＳ１８からの処理と同様の処理が定期的に行われる。この場合、端末２３が同じ場所に留まっていて、通信品質状況に変化が無ければ、ＦＥＣ分類ＩＤと割当ＳＳＩＤは共に同じ値で更新されるが、端末２３が移動して通信品質状況に変化があれば、そのときの通信品質状況に応じてＦＥＣ分類ＩＤと割当ＳＳＩＤが変わる。
【００３２】
このように、本実施の形態に係る接続方法を実行するデータ送信システム１によれば、端末２ｉは、アクセスポイント３に対する最初の接続時に共通ＳＳＩＤを用いてアクセスポイント３に接続要求し、この接続要求によりアクセスポイント３への接続を確立した後、現在の受信レベル、ＢＥＲ、Ｃ／Ｎ比等の通信品質を測定して、その結果をアクセスポイント３に通知し、アクセスポイント３は、端末２ｉより通知された通信品質に基づいて、ＦＥＣパラメータテーブル３２から端末２ｉの通信品質状況に合った最適なＦＥＣパラメータを選択し、選択したＦＥＣパラメータを含むデータ配信用ＳＳＩＤを端末２ｉに通知し、端末２ｉは、アクセスポイント３より通知されたデータ配信用ＳＳＩＤ通知に含まれたＦＥＣパラメータを持つＳＳＩＤを用いてアクセスポイント３に再接続要求するので、端末２ｉの通信品質状況に適した誤り訂正符号化が可能となり、通信品質状況の良好な場所では誤り訂正符号化が簡略化されることから、ユーザが受けるストレスを軽減できる。
【００３３】
なお、上記実施の形態におけるデータ送信システム１においては、図２のＦＥＣパラメータテーブル３２に示すように、シンボル長と冗長度の値を違えた９パターンのＦＥＣパラメータを用意したが、このパターン数に限定されるものではなく、例えば２つのパターンのみ用意するだけでもよい。要は、２パターン以上あればよい。
【００３４】
また、上記実施の形態におけるデータ送信システム１においては、端末２ｉは、アクセスポイント３から通信品質通知要求があると、通信品質を測定し、その結果をアクセスポイント３に送信するようにしたが、端末２ｉが自発的に通信品質を測定して、アクセスポイント３に対して通信品質情報を送信するようにしてもよい。このように、端末２ｉが自発的にアクセスポイント３に対して通信品質情報を送信することで、アクセスポイント３が通信品質通知要求を送信する必要が無くなり、その分、処理の簡略化が図れる。また、端末２ｉにおいては、処理を行っていない空き時間に通信品質を測定することができ、処理の効率化が図れる。例えば、アクセスポイント３に対して接続要求を送信したときからＩＰアドレスの通知を受けるまでの空き時間に通信品質を測定する。
【００３５】
また、上記実施の形態におけるデータ送信システム１においては、コンテンツの配信をインターネット等のＩＰネットワークに接続されたコンテンツ配信サーバ５より受けるようにしたが、放送波を利用してコンテンツが配信されるような場合、放送されたコンテンツを受信できる放送波受信機（不図示）を用いて、この放送波受信機よりコンテンツの配信を受けるようにしてもよい。現在、従来のアナログテレビで使用されていたＶＨＦ―ＬＯＷ帯（９０〜１０８ＭＨｚ）を利用したコンテンツの配信が行われており、コンテンツを受信できる放送波受信機を用いることで、コンテンツの配信を受けることができる。この場合、放送波受信機は、コンテンツ配信サーバ５と同様の機能を有し、アクセスポイント３より送信されたコンテンツ配信要求を受信すると、配信コンテンツ選択処理を行い、アクセスポイント３に対して、配信コンテンツを通知する。
【００３６】
以上、図面を参照しながら実施の形態について説明したが、本開示はかかる例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。また、本開示の趣旨を逸脱しない範囲において、上記実施の形態における各構成要素を任意に組み合わせてもよい。
【００３７】
また、上記実施の形態の説明に用いた無線ＬＡＮアクセスポイント３の各機能ブロックは、典型的には集積回路であるＬＳＩ（Large Scale Integration）として実現される。これらは個別に１チップ化されてもよいし、各機能ブロックの一部又は全てを含むように１チップ化されてもよい。ここではＬＳＩとしたが、集積度の違いにより、ＩＣ、システムＬＳＩ、スーパーＬＳＩ、ウルトラＬＳＩと呼称されることもある。また、集積回路化の手法にはＬＳＩに限らず、専用回路または汎用プロセッサを用いて実現してもよい。ＬＳＩ製造後に、プログラムすることが可能なＦＰＧＡ（Field Programmable Gate Array）、又は、ＬＳＩ内部の回路セルの接続、設定が再構成可能なリコンフィグラブル・プロセッサーを利用してもよい。さらには、半導体技術の進歩または派生する別技術によりＬＳＩに置き換わる集積回路化の技術が登場すれば、当然、別技術を用いて機能ブロックの集積化を行ってもよい。バイオ技術の適用等が可能性としてありえる。
【００３８】
（本開示の一態様の概要）
本開示の接続方法は、アクセスポイントが端末と接続する接続方法であって、前記端末が第１のＳＳＩＤを介して前記アクセスポイントへ第１の接続を確立し、前記第１の接続における通信品質に基づいて、前記端末が前記アクセスポイントに対して通信品質情報を送信し、前記通信品質情報に基づいて前記アクセスポイントが第２のＳＳＩＤを選択して前記端末に送信し、前記端末が前記第１の接続を解除し、前記第２のＳＳＩＤを介して前記アクセスポイントへ第２の接続を確立し、前記第２のＳＳＩＤは、少なくとも、所定のパラメータによって誤り訂正符号化されたデータが前記アクセスポイントから送信されるＳＳＩＤと、前記所定のパラメータよりも誤り訂正能力の高い誤り訂正符号化がされたデータが前記アクセスポイントから送信されるＳＳＩＤと、を含むＳＳＩＤの群から少なくとも一が選択され、前記第１の接続における前記通信品質情報によって表される通信品質が所定の品質を満たす場合は、前記所定のパラメータによって誤り訂正符号化されたデータが前記アクセスポイントから送信されるＳＳＩＤが前記第２のＳＳＩＤとして選択され、前記第１の接続における前記通信品質情報によって表される通信品質が前記所定の品質を満たさない場合は、前記所定のパラメータよりも誤り訂正能力の高い誤り訂正符号化がされたデータが前記アクセスポイントから送信されるＳＳＩＤが前記第２のＳＳＩＤとして選択される。
【００３９】
上記方法によれば、端末の通信品質状況に適した誤り訂正符号化が可能となり、通信品質状況の良好な場所では誤り訂正符号化が簡略化されることから、ユーザが受けるストレスを軽減できる。
【００４０】
上記方法において、前記端末が第１のＳＳＩＤを介して前記アクセスポイントへ第１の接続を確立する際、前記端末が前記アクセスポイントに対して接続要求を送信するにあたり、前記第１のＳＳＩＤは、すべての端末に共通に用いられる共通ＳＳＩＤである。
【００４１】
上記方法によれば、第１のＳＳＩＤを、すべての端末に共通に用いられる共通ＳＳＩＤとすることで、各端末の最初の接続時におけるアクセスポイントの処理遅延時間を均一にでき、各端末に対するアクセスポイントの処理のバラツキを低くできる。
【００４２】
上記方法において、前記第１の接続における通信品質に基づいて、前記端末が前記アクセスポイントに対して通信品質情報を送信する際、前記端末は、前記通信品質に基づいて自発的に前記アクセスポイントに対して前記通信品質情報を送信する。
【００４３】
上記方法によれば、端末が自発的にアクセスポイントに対して通信品質情報を送信することで、アクセスポイントが通信品質通知要求を送信する必要が無くなり、その分、処理の簡略化が図れる。また、端末においては、処理を行っていない空き時間に通信品質を測定することができ、処理の効率化が図れる。例えば、アクセスポイントに対して接続要求を送信したときからＩＰアドレスの通知を受けるまでの空き時間に通信品質を測定する。
【００４４】
本開示のアクセスポイントは、端末が接続されるアクセスポイントであって、前記端末により第１のＳＳＩＤを介して第１の接続が確立され、前記第１の接続における通信品質に基づいて、前記端末から通信品質情報を受信し、前記通信品質情報に基づいて第２のＳＳＩＤを選択して前記端末に送信し、前記端末により前記第１の接続が解除され、前記第２のＳＳＩＤを介して第２の接続が確立され、前記第２のＳＳＩＤは、少なくとも、所定のパラメータによって誤り訂正符号化されたデータが前記アクセスポイントから送信されるＳＳＩＤと、前記所定のパラメータよりも誤り訂正能力の高い誤り訂正符号化がされたデータが前記アクセスポイントから送信されるＳＳＩＤと、を含むＳＳＩＤの群から少なくとも一が選択され、前記第１の接続における前記通信品質情報によって表される通信品質が所定の品質を満たす場合は、前記所定のパラメータによって誤り訂正符号化されたデータが前記アクセスポイントから送信されるＳＳＩＤが前記第２のＳＳＩＤとして選択され、前記第１の接続における前記通信品質情報によって表される通信品質が前記所定の品質を満たさない場合は、前記所定のパラメータよりも誤り訂正能力の高い誤り訂正符号化がされたデータが前記アクセスポイントから送信されるＳＳＩＤが前記第２のＳＳＩＤとして選択される。
【００４５】
上記構成によれば、端末の通信品質状況に適した誤り訂正符号化が可能となり、通信品質状況の良好な場所では誤り訂正符号化が簡略化されることから、ユーザが受けるストレスを軽減できる。
【００４６】
上記構成において、前記端末により第１のＳＳＩＤを介して第１の接続が確立される際、前記端末が前記アクセスポイントに対して接続要求を送信するにあたり、前記第１のＳＳＩＤは、すべての端末に共通に用いられる共通ＳＳＩＤである。
【００４７】
上記構成によれば、第１のＳＳＩＤを、すべての端末に共通に用いられる共通ＳＳＩＤとすることで、各端末の最初の接続時におけるアクセスポイントの処理遅延時間を均一にでき、各端末に対するアクセスポイントの処理のバラツキを低くできる。
【００４８】
上記構成において、前記第１の接続における通信品質に基づいて、前記端末から通信品質情報を受信する際、前記端末は、前記通信品質に基づいて自発的に前記アクセスポイントに対して前記通信品質情報を送信する。
【００４９】
上記構成によれば、端末が自発的にアクセスポイントに対して通信品質情報を送信することで、アクセスポイントが通信品質通知要求を送信する必要が無くなり、その分、処理の簡略化が図れる。また、端末においては、処理を行っていない空き時間に通信品質を測定することができ、処理の効率化が図れる。例えば、アクセスポイントに対して接続要求を送信したときからＩＰアドレスの通知を受けるまでの空き時間に通信品質を測定する。
【００５０】
本開示のシステムは、アクセスポイントと、前記アクセスポイントに接続される端末とを含むシステムであって、前記端末が第１のＳＳＩＤを介して前記アクセスポイントへ第１の接続を確立し、前記第１の接続における通信品質に基づいて、前記端末が前記アクセスポイントに対して通信品質情報を送信し、前記通信品質情報に基づいて前記アクセスポイントが第２のＳＳＩＤを選択して前記端末に送信し、前記端末が前記第１の接続を解除し、前記第２のＳＳＩＤを介して前記アクセスポイントへ第２の接続を確立し、前記第２のＳＳＩＤは、少なくとも、所定のパラメータによって誤り訂正符号化されたデータが前記アクセスポイントから送信されるＳＳＩＤと、前記所定のパラメータよりも誤り訂正能力の高い誤り訂正符号化がされたデータが前記アクセスポイントから送信されるＳＳＩＤと、を含むＳＳＩＤの群から少なくとも一が選択され、前記第１の接続における前記通信品質情報によって表される通信品質が所定の品質を満たす場合は、前記所定のパラメータによって誤り訂正符号化されたデータが前記アクセスポイントから送信されるＳＳＩＤが前記第２のＳＳＩＤとして選択され、前記第１の接続における前記通信品質情報によって表される通信品質が前記所定の品質を満たさない場合は、前記所定のパラメータよりも誤り訂正能力の高い誤り訂正符号化がされたデータが前記アクセスポイントから送信されるＳＳＩＤが前記第２のＳＳＩＤとして選択される。
【００５１】
上記構成によれば、端末の通信品質状況に適した誤り訂正符号化が可能となり、通信品質状況の良好な場所では誤り訂正符号化が簡略化されることから、ユーザが受けるストレスを軽減できる。
【００５２】
上記構成において、前記端末が第１のＳＳＩＤを介して前記アクセスポイントへ第１の接続を確立する際、前記端末が前記アクセスポイントに対して接続要求を送信するにあたり、前記第１のＳＳＩＤは、すべての端末に共通に用いられる共通ＳＳＩＤである。
【００５３】
上記構成によれば、第１のＳＳＩＤを、すべての端末に共通に用いられる共通ＳＳＩＤとすることで、各端末の最初の接続時におけるアクセスポイントの処理遅延時間を均一にでき、各端末に対するアクセスポイントの処理のバラツキを低くできる。
【００５４】
上記構成において、前記第１の接続における通信品質に基づいて、前記端末が前記アクセスポイントに対して通信品質情報を送信する際、前記端末は、前記通信品質に基づいて自発的に前記アクセスポイントに対して前記通信品質情報を送信する。
【００５５】
上記構成によれば、端末が自発的にアクセスポイントに対して通信品質情報を送信することで、アクセスポイントが通信品質通知要求を送信する必要が無くなり、その分、処理の簡略化が図れる。また、端末においては、処理を行っていない空き時間に通信品質を測定することができ、処理の効率化が図れる。例えば、アクセスポイントに対して接続要求を送信したときからＩＰアドレスの通知を受けるまでの空き時間に通信品質を測定する。
【産業上の利用可能性】
【００５６】
本開示は、公衆無線ＬＡＮを用いてコンテンツの配信を行うデータ送信システムなどに有用である。
【符号の説明】
【００５７】
１  データ送信システム
２１，２２，２３，…，２ｎ  無線ＬＡＮ受信端末
３  無線ＬＡＮアクセスポイント
４  認証ＤＨＣＰサーバ
５  コンテンツ配信サーバ
３０  ＣＰＵ
３１  端末管理テーブル
３２  ＦＥＣパラメータテーブル
３３  ＲＦ部
【図１】
2017041729.tif 000003
【図２】
2017041729.tif 000004
【図３】
2017041729.tif 000005
【図４】
2017041729.tif 000006